(57)【特許請求の範囲】
【請求項１】
左突出部１１ｈ及び右突出部１１ｉからなる保持部１１ｆと半円形状の半円部１１ｑと三角形状の三角部１１ｒからなり前記保持部１１ｆに連設する切断部１１ｇからなる中プレート部１１ｌの左側には上部及び下部に連設部１１ｃ、１１ｃがある縦長の貫通孔１１ｍを介して左プレート部１１ａを連設し、前記中プレート部１１ｌの右側には上部及び下部に連設部１１ｊ、１１ｊがある縦長の貫通孔１１ｎを介して右プレート部１１ｋを連設するとともに外周部に切断線１１ｄを記し、背面に接着剤を塗布した長方形状の上プレート原板１１と、中央部には半円形状の貫通孔１２ｆを、左上方には左突出部１２ａを、右下方には右突出部１２ｂが形成し、前記右突出部１２ｂの近接位置には係止具１５を取り付けるための切欠溝１２ｃを形成するとともに上部及び下部に切断線１２ｄ、１２ｅを記し、表面及び背面に接着剤を塗布した略Ｌ字型の中上プレート原板１２と、中央部には半円形状の貫通孔１３ｆを、左上方には左突出部１３ａを、右下方には右突出部１３ｂを形成し、前記右突出部１３ｂの近接位置に係止具１５を取り付けるための切欠溝１３ｃを形成するとともに上部及び下部に切断線１３ａ、１３ｅを記し、表面及び背面に接着剤を塗布した略Ｌ字型の中下プレート原板１３と、中プレート部１４ｂの左側には連設部１４ｄを介して左プレート部１４ａを設け、前記中プレート部１４ｂの右側には連設部１４ｅを介して右プレート部１４ｃを設けるとともに外周部に切断線１４ｇを記し、表面に接着剤を塗布した下プレート原板１４とからなり、前記各プレート原板１１、１２、１３、１４を押圧式切断機により押圧し前記切断線１１ｄ、１２ｄ、１２ｅ、１３ａ、１３ｅ１４ｆを切断すると上プレート原板１１の保持部１１ｆの右端１１ｓは中上プレート原板１２の右端１２ｇより突出するとともに、前記中下プレート原板１３の右端１３ｇは前記中上プレート原板１２の右端１２ｇより突出して接着しコンパクトディスク６の外周部６ａが嵌入する凹部１３ｈを形成し、前記上プレート原板１１の切断部１１ｇは下プレート原板１４の中プレート部１４ｂの上面に落下して接着し、前記切欠溝１２ｃ、１３ｃには弾力性の素材からなる係止具１５を取り付け、中央部にはコンパクトディスク６を収納する収納部９を、前記収納部９の左方には開閉可能な左カバー８を、前記収納部９の右方には開閉可能な右カバー１０を形成したことを特徴とするコンパクトディスク収納ケース。
【請求項２】
係止具１５の弾力性の素材を、ゴム又はスポンジのいずれかとしたことを特徴とする請求項１に記載のコンパクトディスク収納ケース。
【発明の詳細な説明】
【０００１】
【産業上の利用分野】
本発明は、音楽や画像を記録する媒体であるコンパクトディスクを収納するためのコンパクトディスク収納ケースに関する改良発明である。
【０００２】
【従来の技術】
従来のコンパクトディスク収納ケースは、特許出願公開平成１１−３０１７６４号の公開広報に記載されている「コンパクトディスク収納用紙製ケース」の発明のように、１枚の長方形状の板紙材料を複数個所を折り曲げ、貼り付けることによりて完成させてコンパクトディスクを収納できる構造である。
【０００３】
即ち、前記コンパクトディスク収納用紙製ケースは、上下に中板部７、７を連設されている主板部３と、前記主板部３の左側に連設されている副板部５と、
前記主板部３の右側に上折り部８を介して連設されているとともに貼着代部２０を有する開閉蓋部９と、前記開閉蓋部９の右側に連設されている内蓋１８からなる。
【０００４】
【発明が解決しようとする課題】
しかしながら、従来の前記「コンパクトディスク収納用紙製ケース」の「収納部」は、収納するＣＤケースが左端部のＣ字状の収納部と右端部の板紙の２枚数だけで挟持する構造で、収納ケース内部にはストッパーの働きを有する係止具が設けられておらず、実際にコンパクトディスクを前記収納ケースから取出し時における開閉時や、移動の際に収納されたコンパクトディスクのズレや落下するなど問題が発生する。
【０００５】
また、前記コンパクトディスク収納ケースを形成する際、板紙を抜型により形成しなければならないが、型が複雑になるため、製品コストがかかるという欠点がある。
【０００６】
そこで、本発明は、コンパクトディスクを収納ケースから取り出しにおける開閉時や移動の際に、収納された前記コンパクトディスクのズレや落下が発生することなく、板紙の型形状も複雑でないコンパクトディスク収納ケースを提供することを目的とするものである。
【０００７】
【課題を解決するための手段】
本発明は、上記の課題を解決するために、
左突出部１１ｈ及び右突出部１１ｉからなる保持部１１ｆと半円形状の半円部１１ｑと三角形状の三角部１１ｒからなり前記保持部１１ｆに連設する切断部１１ｇからなる中プレート部１１ｌの左側には上部及び下部に連設部１１ｃ、１１ｃがある縦長の貫通孔１１ｍを介して左プレート部１１ａを連設し、前記中プレート部１１ｌの右側には上部及び下部に連設部１１ｊ、１１ｊがある縦長の貫通孔１１ｎを介して右プレート部１１ｋを連設するとともに外周部に切断線１１ｄを記し、背面に接着剤を塗布した長方形状の上プレート原板１１と、中央部には半円形状の貫通孔１２ｆを、左上方には左突出部１２ａを、右下方には右突出部１２ｂが形成し、前記右突出部１２ｂの近接位置には係止具１５を取り付けるための切欠溝１２ｃを形成するとともに上部及び下部に切断線１２ｄ、１２ｅを記し、表面及び背面に接着剤を塗布した略Ｌ字型の中上プレート原板１２と、中央部には半円形状の貫通孔１３ｆを、左上方には左突出部１３ａを、右下方には右突出部１３ｂを形成し、前記右突出部１３ｂの近接位置に係止具１５を取り付けるための切欠溝１３ｃを形成するとともに上部及び下部に切断線１３ａ、１３ｅを記し、表面及び背面に接着剤を塗布した略Ｌ字型の中下プレート原板１３と、中プレート部１４ｂの左側には連設部１４ｄを介して左プレート部１４ａを設け、前記中プレート部１４ｂの右側には連設部１４ｅを介して右プレート部１４ｃを設けるとともに外周部に切断線１４ｇを記し、表面に接着剤を塗布した下プレート原板１４とからなり、前記各プレート原板１１、１２、１３、１４を押圧式切断機により押圧し前記切断線１１ｄ、１２ｄ、１２ｅ、１３ａ、１３ｅ１４ｆを切断すると上プレート原板１１の保持部１１ｆの右端１１ｓは中上プレート原板１２の右端１２ｇより突出するとともに、前記中下プレート原板１３の右端１３ｇは前記中上プレート原板１２の右端１２ｇより突出して接着しコンパクトディスク６の外周部６ａが嵌入する凹部１３ｈを形成し、前記上プレート原板１１の切断部１１ｇは下プレート原板１４の中プレート部１４ｂの上面に落下して接着し、前記切欠溝１２ｃ、１３ｃには弾力性の素材からなる係止具１５を取り付け、中央部にはコンパクトディスク６を収納する収納部９を、前記収納部９の左方には開閉可能な左カバー８を、前記収納部９の右方には開閉可能な右カバー１０を形成したことを特徴とするコンパクトディスク収納ケースの構成とした。
【０００８】
【実施例】
以下に、添付図面に基づいて本発明であるコンパクトディスク収納ケースを詳細に説明する。図１〜図１２は本発明であるコンパクトディスク収納ケースの第１実施例を示し、図１３〜図１７は本願発明であるコンパクトディスク収納ケースの第２実施例、図１８及び図１９は第３実施例、図２０は第４実施例を示す。
【０００９】
図１〜図１２は、本発明であるコンパクトディスク収納ケースの第１実施例を示す。図１は本願発明であるコンパクトディスク収納ケース１にコンパクトディスク６を収納した状態の正面図、図２は本発明であるコンパクトディスク収納ケースの第１実施例の正面図、図３は図２中のＡ−Ａ線に沿った拡大縦断面図である。
【００１０】
図１及び図２に示すように、本願発明であるコンパクトディスク収納ケース１は略正方形状であり、中央部にコンパクトディスク６を収納する個所が形成されている。収納すべきコンパクトディスク６は、矢印ａ方向から差し込み収納される。
【００１１】
本願発明であるコンパクトディスク収納ケース１は、図３に示すように、上プレート２、中上プレート３、中下プレート４、下プレート５を積層し接着した構造である。
【００１２】
即ち、下プレート５の上には中下プレート４が接着され、中下プレート４上には中上プレート３が接着され、中上プレート３の上には上プレート２が接着されている。
【００１３】
図３に示すように、上プレート２は、中上プレート３の上面に接着されているとともにコンパクトディスク６の外周部を係止し保持するための保持部２ａと、切断されて下プレート５の上面に落下し接着される切断部２ｂとからなる。
【００１４】
図２に示すように、保持部２ａと切断部２ｂからなる上プレート２から切断部２ｂを切断した保持部２ａには、左右突出部２ｃ、２ｈが形成されるとともに、半円形状の半円孔２ｄが形成される。従って、切断部２ｂは、一方が半円形状の半円部２ｊと他方が略三角形状の三角形部２ｋからなる。
【００１５】
本コンパクトディスク収納ケース１を構成する上プレート２、中上プレート３、中下プレート４及び下プレート５の素材としては紙が用いられている。勿論、プラスチック、その他の素材を用いてもよい。
【００１６】
図１及び図３に示すように、矢印ａの方向から差し込まれたコンパクトディスク６の外周部６ａの一部が、中下プレート４と上プレート２の保持部２ａに形成されている右突出部２ｈ間に挟着されるとともに、コンパクトディスク６の外周部６ａの一部が係止具５ｃに接触して係止される。
【００１７】
この場合、コンパクトディスク６の外周部６ａが係止具５ｃにより中上プレート３方向に押圧された状態で係止されている。そして、収納され係止具５ｃにより係止されているコンパクトディスク６の下面と切断部２ｂの上面間には間隙２ｉが形成され接触することがない。
【００１８】
また、図３に示すように、本願発明であるコンパクトディスク収納ケース１を構成する上プレート２の保持部２ａと切断部２ｂは一体であるために、保持部２ａの表面及び切断部２ｂの表面に一体的に模様を印刷した場合に、切断されて下プレート５の上面に接着されている切断部２ｂの表面の模様と保持部２ａの表面の模様とは連続性があることとなる。
【００１９】
即ち、保持部２ａの表面に印刷されている模様と切断部２ｂの表面に印刷されている模様との間に切断部２ｂが切断されてもズレが生じることがなく、模様が全体的に統一された状態となる。
【００２０】
図３に示すように、保持部２ａの右端２ｌは、コンパクトディスク６の外周部６ａの上に覆い被さるようにやや突出している。中上プレート３の右端３ｈは、保持部２ａの右端２ｌより引っ込んだ位置にあり、中下プレート４の右端４ｇは中上プレート３の右端３ｈより突出した位置にある。
【００２１】
図４は、本発明であるコンパクトディスク収納ケースを製造するための各プレートの原板の斜視図である。図４に示すように、本願発明であるコンパクトディスク収納ケース１は、上プレート原板２Ａ、中上プレート原板３Ａ、中下プレート原板４Ａ、下プレート原板５Ａ等を切断して製造する。各プレート２Ａ〜５Ａの大きさはほぼ同じであるとともに、略長方形状である。
【００２２】
即ち、下プレート原板５Ａの上面には中下プレート原板４Ａを接着し、中下プレート原板４Ａの上面には中上プレート原板３Ａを接着し、中上プレート原板３Ａの上面には上プレート原板２Ａを接着する。
【００２３】
このように各プレート原板２Ａ〜５Ａを接着することによりコンパクトディスク収納ケース原板ができる。各プレート原板２Ａ、３Ａ、４Ａ、５Ａを接着した後に、プレス式の切断機により各プレート２Ａ、３Ａ、４Ａ、５Ａの外周を一気に切断するものである。
【００２４】
コンパクトディスク収納ケース原板を目印２ｍ〜２ｐが付されている部分よりやや内方個所より切断することにより、コンパクトディスク収納ケース１が完成する。
【００２５】
図５は本発明であるコンパクトディスク収納ケースの上プレート原板の正面図、図６は図５中のＢーＢ線に沿った縦断面図である。図５に示すように、上プレート原板２Ａの各コーナには切断する個所を分かるようにするためＬ字型の目印２ｍ、２ｎ、２ｏ、２ｐを付ける。
【００２６】
図５及び図６に示すように、上プレート原板２Ａの表面の４個所のコーナに記した切断個所の目印２ｍ、２ｎ、２ｏ、２ｐの内方に描かれている模様の内方に略正方形状に切断線２ｑを付ける。
【００２７】
符号２ｅは、上プレート２から切断部２ｂを切断するための切断線である。符号２ｅもまた切断線を示すが、この線から切断は必要な場合に切断し、不必要な場合には切断しない場合もある。この切断線２ｅは設けなくてもよい。
【００２８】
図７は本発明であるコンパクトディスク収納ケースの中上プレート原板の正面図、図８は図７中のＣ−Ｃ線に沿った縦断面図である。図７及び図８に示すように、中上プレート原板３Ａの中央部には、中上プレート原板３Ａの３分の２をしめるような貫通孔３ａが穿設されている。
【００２９】
貫通孔３ａは、半円形孔３ｂに連続して矢じり状の三角形孔３ｃが連設されている。そして、半円形孔３ｂの右突出部３ｅの近接位置で係止具５ｃを嵌合するための切欠溝３ｆが形成されている。符号３ｇは切断線であるが、この切断線３ｇは設けなくてもよい。
【００３０】
図９は本発明であるコンパクトディスク収納ケースの中下プレート原板の正面図、図１０は図９中のＤーＤ線に沿った縦断面図である。図９及び図１０に示すように、中下プレート原板４Ａの中央部には、中下プレート原板４Ａの３分の２を占めるような貫通孔４ａが穿設されている。
【００３１】
貫通孔４ａは、半円形孔４ｂに連続して矢じり状の三角形孔４ｃが連設されている。そして、半円形孔４ｂの右突出部４ｅの近接位置に係止具５ｃを嵌合するための切欠溝４ｆが形成されている。切欠溝４ｆは、中上プレート原板３Ａに形成されている切欠溝３ｆよりやや大きく形成されている。符号４ｈは切断線である。
【００３２】
図１１は本発明であるコンパクトディスク収納ケースの下プレートの正面図、図１２は図１１中のＥーＥ線に沿った縦断面図である。図１１及び図１２に示すように、下プレート原板５Ａのには、切断線５ａが正方形形状に記されているとともに、切断線５ａ内で、右下方向の位置に係止具５ｃを挿入するための挿通孔５ｂが穿設されている。勿論、切断線５ａは設けなくてもよい。
【００３３】
図１３〜図１７は、本願発明であるコンパクトディスク収納ケースの第２実施例を示した図である。以下に、本例のコンパクトディスク収納ケースの第２実施例を詳細に説明する。
【００３４】
図１３は本発明であるコンパクトディスク収納ケースの第２実施例を構成する各プレート原板の分離させた状態の斜視図、図１４は本発明であるコンパクトディスク収納ケースの第２実施例の正面図、図１５は本発明であるコンパクトディスク収納ケースの第２実施例の縦断面図である。
【００３５】
図１３に示すように、本例のコンパクトディスク収納ケース１６は、上プレート原板１１と中上プレート原板１２と中下プレート原板１３と下プレート原板１４を接着してできたコンパクトディスク収納ケース原板１１Ａ（【図１４】）の切断片１１ｅを切断線１１ｄ、１２ｄ、１２ｅ、１３ｄ、１３ｅ、１４ｆを一気に切断して出来上がるものである。
【００３６】
図１３に示すように、上プレート原板１１は、左プレート部１１ａと中プレート部１１ｌと右プレート部１１ｋからなる。上プレート原板１１は横長で長方形状である。上プレート原板１１の外周部には切断線１１ｄが記されていて、この切断線１１ｄで切断すると切断片１１ｅが切断される。勿論、この切断線１１ｄは設けなくてもよい。
【００３７】
中プレート部１１ｌの左側には縦長の左貫通孔１１ｍが穿設されているとともに、右側にも縦長の右貫通孔１１ｎが穿設されている。左右貫通孔１１ｍ、１１ｎの上部及び下部には連設部１１ｃ、１１ｃ、１１ｊ、１１ｊがあり、左右プレート部１１ａ、１１ｋと中プレート部１１ｌを連設している。
【００３８】
中プレート部１１ｌの左側には左貫通孔１１ｍの上下にある連設部１１ｃを介して左プレート部１１ａが連設され、中プレート部１１ｌの右側には右貫通孔１１ｎを介して右プレート部１１ｋが連設されている。右貫通孔１１ｎの上部及び下部には連設部１１ｊ、１１ｊがあり、中プレート部１１ｌと右プレート部１１ｋを連設している。
【００３９】
中プレート部１１ｌは、保持部１１ｆと切断部１１ｇからなる。保持部１１ｆと切断部１１ｇ間には、切断線１１ｂの部分で切断されている。そして、切断部１１ｇは、半円形状の半円部１１ｑと三角形状の三角部１１ｒからなり、三角部１１ｒは半円部１１ｑに連設されている。
【００４０】
中上プレート原板１２は、図１３に示すように、略Ｌ字型の形状である。中上プレート原板１２の中央部には、半円形状の貫通孔１２ｆが形成されていて、左上方には左突出部１２ａが形成されているとともに、右下方には右突出部１２ｂ
が形成されている。
【００４１】
右突出部１２ｂの近接位置には、係止具１５を取り付けるための切欠溝１２ｃが形成されている。また、中上プレート原板１２の上部には切断線１２ｄが記されているとともに、下部にも切断線１２ｅが記されている。勿論、切断線１２ｄ、１２ｅは設けなくてもよい。
【００４２】
図１３に示すように、中下プレート原板１３は略Ｌ字型の形状である。中下プレート原板１３の中央部には、半円形状の貫通孔１３ｆが形成されていて、左上方には左突出部１３ａが形成されているとともに、右下方には右突出部１３ｂが形成されている。
【００４３】
右突出部１３ｂの近接位置には、係止具１５を取り付けるための切欠溝１３ｃが形成されている。また、中下プレート原板１３の上部には切断線１３ｄが記されているとともに、下部にも切断線１３ｅが記されている。勿論、切断線１３ｄ、１３ｅは設けなくてもよい。
【００４４】
下プレート原板１４は、図１３に示すように、下プレート原板１４は、左プレート部１４ａと中プレート部１４ｂと右プレート部１４ｃからなる。下プレート原板１４は横長で長方形状である。
【００４５】
下プレート原板１４の外周部には切断線１４ｆが記されていて、この切断線１４ｆで切断すると切断片１４ｇが切断される。勿論、この切断線１４ｆは設けなくてもよい。
【００４６】
中プレート部１４ｂの左側には連設部１４ｄを介して左プレート部１４ａが連設され、中プレート部１４ｂの右側には連設部１４ｅを介して右プレート部１４ｃが連設されている。
【００４７】
図１４は、本発明であるコンパクトディスク収納ケースの第２実施例であり、各プレート原板を接着した状態の正面図である。即ち、上プレート原板１１と中上プレート原板１２と中下プレート原板１３と下プレート原板１４とを図１３に示した状態で積み重ねるようにして接着したコンパクトディスク収納ケース原板１１Ａである。
【００４８】
図１４に示すように、左プレート部１１ａは矢印７に示すように右方向に折り畳むことができるとともに、右プレート１１ｋは矢印７ａに左方向に折り畳むことができる。即ち、左プレート部１１ａ及び右プレート１１ｋは、共に中プレート部１１ｌの上に折り畳むことができる。
【００４９】
図１５は、図１４中のＦ−Ｆ線に沿ったコンパクトディスク収納ケース原板の縦断面図である。図１５に示すように、下プレート原板１４の中プレート部１４ｂの上面に中下プレート原板１３を接着し、中下プレート原板１３の上面には中上プレート原板１２を接着する。
【００５０】
各プレート原板１１、１２、１３、１４を接着すると上プレート原板１１の保持部１１ｆの右端１１ｓは、中上プレート原板１２の右端１２ｇより突出する。また、中下プレート原板１３の右端１３ｇは、中上プレート原板１２の右端１２ｇより突出する。
【００５１】
このようにして、上プレート原板１１の保持部１１ｆの右端１１ｓと中上プレート原板１２の右端１２ｇと中下プレート原板１３の右端１３ｇにより凹部１３ｈが形成される。この凹部１３ｈにコンパクトディスク６の外周部６ａが嵌入する。
【００５２】
図１６は本発明であるコンパクトディスク収納ケースの第２実施例の正面図である。即ち、図１６は、図１４に示したコンパクトディスク収納ケース原板に記されている切断線１１ｄから切断片１１ｅをプレスして一気に切断した切り取ったものである。
【００５３】
このように、切断するとともに接着することにより、本願発明であるコンパクトディスク収納ケース１６が完成する。即ち、中央部にはコンパクトディスク６を収納する収納部９が、収納部９の左方には左カバー８が、収納部９の右方には右カバー１０が形成される。左右カバー８、１０は、開閉可能な構造である。
【００５４】
図１４に示したコンパクトディスク収納ケース原板１１Ａを、押圧式の切断機により切断線１１ｄから切断片１１ｅを切断すると、中上プレート１２の上下切断線１２ｄ、１２ｅ、中下プレート１３の上下切断線１３ｄ、１３ｅ及び下プレート原板１４の切断線１４ｆも同時に切断されるのである。
【００５５】
押圧するとともに切断する装置により切断すると、図１５に示すように、上プレート原板１１の背面、中上プレート原板１２の表面及び背面、中プレート原板１３の表面及び背面、下プレート原板１４の表面等に接着剤が塗布されている。
【００５６】
そのために、各プレート原板１１〜１４が接着する。特に、上プレート原板１１の切断部１１ｇは、下プレート原板１４の中プレート部１４ｂの上面に矢印に示すように落下して接着されるのである。
【００５７】
それ故に、上プレート原板１１の表面に、絵柄、模様等が印刷されていれば、上プレート原板１１の切断部１１ｇが下プレート原板１４の中プレート部１４ｂの上面に落下し接着されても、保持部１１ｆの表面の絵柄、模様等と切断部１１ｇの表面に印刷されている絵柄、模様等の位置がずれることがなくなる。
【００５８】
このように、各プレート１１〜１４を切断すると同時に接着すると、図１６に示すように、凹部１３ｈが形成されるので、その凹部にコンパクトディスク６の外周部６ａを嵌入させることができる。
【００５９】
図１７は、本発明であるコンパクトディスク収納ケースの第２実施例にコンパクトディスクを収納した状態の正面図である。図１７に示すように、収納部９に矢印ａ方向からコンパクトディスク６を押圧して差し込む。
【００６０】
すると、コンパクトディスク６の外周部６ａが、凹部１３ｈに嵌入するとともに、係止具１５にコンパクトディスク６の外周側面が押圧される状態となり、脱落することのないように収納されるのである。
【００６１】
本願発明であるコンパクトディスク収納ケース１、１６では、係止具５ｃ、１５は、弾力性のある素材、例えば、ゴム、スポンジ等の素材であることがよい。また、本願発明であるコンパクトディスク収納ケース１、１６では、係止具５ｃ、１５は取り付けない構造としてもよい。
【００６２】
図１８及び図１９は、本願発明であるコンパクトディスク収納ケースの第３実施例を示している。即ち、図１８は本発明であるコンパクトディスク収納ケースの第３実施例の正面図、図１９はその底面図、図２０はその正面図であり、コンパクトディスクを収納した状態を示した図である。
【００６３】
図１８及び図１９に示すように、本例のコンパクトディスク収納ケース１７は、図１から図１２までに示した第１実施例のコンパクトディスク収納ケース１を左台紙部１８ａ、折り畳み可能な接合部１８ｂ及び右台紙部１８ｃからなる台紙１８の右台紙部１８ｃの上面にコンパクトディスク収納ケース１をそのまま貼り付けた構造である。
【００６４】
本例のコンパクトディスク収納ケース１７では、図２０に示すように、コンパクトディスク６の差込口１７ａは、矢印ａに示す右上方向にあり、この差込口１７ａから差し込み収納する構造である。
【００６５】
図２０は、本発明であるコンパクトディスク収納ケースの第４実施例の正面図であり、コンパクトディスクを収納した状態を示した図である。図２０に示すように、本例のコンパクトディスク収納ケース１９では、コンパクトディスク６を収納するための差込口１９ａは右真横方向にあり、矢印ａのようにコンパクトディスク６を真横方向から差し込む構造である。
【００６６】
本願発明であるコンパクトディスク収納ケース１９及びコンパクトディスク収納ケース原板において、係止具５ｃを挿入するための挿通孔５ｂを穿設する位置は右下方向に限定するものではなく、必要に応じて右上方向、左上方向、左下方向等のいずれの位置でもよい。
【００６７】
【発明の効果】
本発明であるコンパクトディスク収納ケースは、以上のような構成であるから、コンパクトディスク収納ケースに収納されたコンパクトディスクは、収納ケースから開閉時や、移動の際にズレたり落下することがない。
【００６８】
また、上プレートの表面に絵柄、模様等を印刷しても連続した綺麗な絵柄、模様を連続した状態となり、絵柄、模様等がずれたりすることがない。
【００６９】
更に、本発明であるコンパクトディスク収納ケースは、安価で簡単にに製造でき、軽量化することにより製造コスト及び輸送コストを大幅に低減することができる。
【図面の簡単な説明】
【図１】  本発明であるコンパクトディスク収納ケースの第１実施例の正面図であり、コンパクトディスクを収納した状態の正面図である。
【図２】  本発明であるコンパクトディスク収納ケースの第１実施例の正面図であり、コンパクトディスクを取り外した状態の正面図である。
【図３】  図２中に示したＡ−Ａに沿った縦断面図である。
【図４】  本発明であるコンパクトディスク収納ケースの第１実施例を構成する各プレート原板を分離した状態を示した分解図である。
【図５】  本発明であるコンパクトディスク収納ケースの上プレート原板の正面図である。
【図６】  本発明であるコンパクトディスク収納ケースの上プレート原板の縦断面図である。
【図７】  本発明であるコンパクトディスク収納ケースの中上プレート原板の正面図である。
【図８】  本発明であるコンパクトディスク収納ケースの中上プレートの縦断面図である。
【図９】  本発明であるコンパクトディスク収納ケースの中下プレート原板の正面図である。
【図１０】  本発明であるコンパクトディスク収納ケースの中下プレート原板の縦断面図である。
【図１１】  本発明であるコンパクトディスク収納ケースの下プレート原板の正面図である。
【図１２】  本発明であるコンパクトディスク収納ケースの下プレート原板の縦断面図である。
【図１３】  本発明であるコンパクトディスク収納ケースを構成する各プレート原板を分離した状態の斜視図である。
【図１４】  本発明であるコンパクトディスク収納ケースの第２実施例であり、各プレート原板を接着した状態の正面図である。
【図１５】  図１４中のＦーＦ線に沿ったコンパクトディスク収納ケースの縦断面図である。
【図１６】  本発明であるコンパクトディスク収納ケースの第２実施例の正面図である。
【図１７】    本発明であるコンパクトディスク収納ケースの第２実施例の正面図である。
【図１８】  本発明であるコンパクトディスク収納ケースの第３実施例の正面図であり、コンパクトディスクを収納した状態を示した図である。
【図１９】    本発明であるコンパクトディスク収納ケースの第３実施例の底面図である。
【図２０】  本発明であるコンパクトディスク収納ケースの第４実施例の正面図であり、コンパクトディスクを収納した状態を示した図である。
【符号の説明】
１          コンパクトディスク収納ケース
２          上プレート
２Ａ        上プレート原板
２ａ        保持部
２ｂ        切断部
２ｃ        左突出部
２ｄ        半円形孔
２ｅ        切取線
２ｆ        切断線
２ｇ        嵌合孔
２ｈ        右突出部
２ｉ        間隙
２ｊ        半円形部
２ｋ        三角形部
２ｌ        右端
２ｍ〜２ｐ  目印
２ｑ、２ｒ  切断線
３          中上プレート
３Ａ        中上プレート原板
３ａ        貫通孔
３ｂ        半円形孔
３ｃ        三角形孔
３ｄ        左突出部
３ｅ        右突出部
３ｆ        切欠溝
３ｇ        切断線
３ｈ        右端
４          中下プレート
４Ａ        中下プレート原板
４ａ        貫通孔
４ｂ        半円形孔
４ｃ        三角形孔
４ｄ        左突出部
４ｅ        右突出部
４ｆ        切欠溝
４ｇ        右端
４ｈ        切断線
５          下プレート
５Ａ        下プレート原板
５ａ        切断線
５ｂ        挿通孔
５ｃ        係止具
６          コンパクトディスク
６ａ        外周部
７、７ａ    矢印
８          左カバー
９          収納部
１０        右カバー
１１        上プレート原板
１１Ａ      コンパクトディスク収納ケース原板
１１ａ      左プレート部
１１ｂ      切断線
１１ｃ      連設部
１１ｄ      切断線
１１ｅ      切断片
１１ｆ      保持部
１１ｇ      切断部
１１ｈ      左突出部
１１ｉ      右突出部
１１ｊ      連設部
１１ｋ      右プレート部
１１ｌ      中プレート部
１１ｍ      左貫通孔
１１ｎ      右貫通孔
１１ｏ      上連設部
１１ｐ      下連設部
１１ｑ      半円部
１１ｒ      三角部
１１ｓ      右端
１２        中上プレート原板
１２ａ      左突出部
１２ｂ      右突出部
１２ｃ      切欠溝
１２ｄ      上切断線
１２ｅ      下切断線
１２ｆ      貫通孔
１２ｇ      右端
１３        中下プレート原板
１３ａ      左突出部
１３ｂ      右突出部
１３ｃ      切欠溝
１３ｄ      上切断線
１３ｅ      下切断線
１３ｆ      貫通孔
１３ｇ      右端
１３ｈ      凹部
１４        下プレート原板
１４ａ      左プレート部
１４ｂ      中プレート部
１４ｃ      右プレート部
１４ｄ      連設部
１４ｅ      連設部
１４ｆ      切断線
１４ｇ      切断片
１５        係止具
１６        コンパクトディスク収納ケース
１７        コンパクトディスク収納ケース
１７ａ      差込口
１８        台紙
１８ａ      左台紙部
１８ｂ      接合部
１８ｃ      右台紙部
１９        コンパクトディスク収納ケース
１９ａ      差込口
【図１】
0003677677.tif 000002
【図２】
0003677677.tif 000003
【図３】
0003677677.tif 000004
【図４】
0003677677.tif 000005
【図５】
0003677677.tif 000006
【図６】
0003677677.tif 000007
【図７】
0003677677.tif 000008
【図８】
0003677677.tif 000009
【図９】
0003677677.tif 000010
【図１０】
0003677677.tif 000011
【図１１】
0003677677.tif 000012
【図１２】
0003677677.tif 000013
【図１３】
0003677677.tif 000014
【図１４】
0003677677.tif 000015
【図１５】
0003677677.tif 000016
【図１６】
0003677677.tif 000017
【図１７】
0003677677.tif 000018
【図１８】
0003677677.tif 000019
【図１９】
0003677677.tif 000020
【図２０】
0003677677.tif 000021